(57)【要約】      （修正有）【課題】腹部の体形を補正し、美観を向上することができる体型補正具を提供する。【解決手段】伸縮する布地を円筒形に形成した体形補正具であって、体型補正具は人体の腹部を覆うものであり、人体に装着したときに人体の腹筋に相当する箇所に腹筋の形状を模した凸部２０が形成されていることを特徴とする。 【選択図】図２
0003202147.tif 000002
【実用新案登録請求の範囲】
【請求項１】
伸縮する布地を円筒形に形成した体形補正具であって、前記布地は人体の腹部を覆うものであり、人体に装着したときに人体の腹筋に相当する箇所の前記布地表面に腹筋の形状を模した凸部が形成されていることを特徴とする体形補正具。
【請求項２】
前記体形補正具は、体型を補正する効果を有する伸縮性を有することを特徴とする、請求項１記載の体形補正具。
【請求項３】
人体の腹部を覆う幅を持ち人体の胴部の周長よりも長い布地と、前記布地を人体の胴部に回して装着したときに人体の腹筋に相当する箇所に腹筋の形状を模した凸部が形成され、前記布地の一方の端部に面ファスナーを形成し、人体に装着したときに前記面ファスナーに当接する箇所に面ファスナーの受け面が形成されていることを特徴とする体形補正具。
【請求項４】
前記腹筋の形状を模した凸部は、人体の筋肉と同程度の硬度であり、通気性を有することを特徴とする、請求項１から３のいずれか１項記載の体形補正具。
【請求項５】
前記腹筋の形状を模した凸部は、空気を封入した袋であり、外部から空気を出し入れすることで大きさ及び硬さを調節する事が可能であることを特徴とする、請求項１から３のいずれか１項記載の体形補正具。
【請求項６】
前記腹筋の形状を模した凸部は、布地から取り外し可能であることを特徴とする、請求項１から５のいずれか１項記載の体形補正具。
【考案の詳細な説明】
【技術分野】
【０００１】
本考案は人体の体形を補正するものに関する。
【背景技術】
【０００２】
人体の体形を補正するものは、種々のものが作られている。例えば女性用体型補正具としてのガードルや、女性の胸の形状を補正するブラジャーなどがある。これらは衣服の下に装着して、主に皮下脂肪の位置を調整することで美的に優れた体形を形成し、その上に衣服を着けた状態では当該補正具を使用していることがわからないようにしている。
【０００３】
特許文献１には、女性の下腹部に装着して膨らんだ腹部を締め付けて補正する発明が記されている。
【０００４】
特許文献２には、女性の胸部に装着して、空気のパットを用いて胸を大きく見せる発明が記されている。
【先行技術文献】
【特許文献】
【０００５】
【特許文献１】特開２００８―０５７０６６号公報
【特許文献２】特開平１１―２４７００６号公報
【考案の概要】
【考案が解決しようとする課題】
【０００６】
男性も、女性と同様に自らの体形を補正したいと考えても、適当なものが無かった。男性の場合、主に気になるのは腹部の美観である。理想とする体形は皮下脂肪が少なく、トレーニングによって大きくなった腹筋が人体表面から浮き上がっているのがわかる状態である。しかし、その体形を得ようとしても食事制限等で体脂肪を減少させ、トレーニングの積み重ね等で腹筋を大きくしなければならず、一般の男性がその体形を得ることは困難であった。
【課題を解決するための手段】
【０００７】
本願考案は、伸縮する布地を円筒形に形成した体形補正具であって、前記体型補正具は人体の腹部を覆うものであり、人体に装着したときに人体の腹筋に相当する箇所に腹筋の形状を模した凸部が形成されていることを特徴とする体形補正具である。
【０００８】
本願考案によれば、トレーニングを積み重ねなくとも、当該補正具を装着することで、前記腹筋の形状を模した凸部がその上に付けた衣服を通して腹筋が浮き上がっているように見えるため、美観が向上する。
【０００９】
本願考案は、前記体形補正具は、体型を補正する効果を有する伸縮性を有することを特徴とする、請求項１記載の体形補正具である。
【００１０】
本願考案によれば、腹部の脂肪を減少させるために食事制限などの格別の努力を行わなくても、当該補正具の締め付け効果によって腹部が細く見え、さらに前記腹筋の形状を模した凸部が、その上に付けた衣服を通して腹筋が浮き上がっているように見えるため、美観が向上する。
【００１１】
本願考案は、人体の腹部を覆う幅を持ち人体の胴部の周長よりも長い布地と、前記布地を人体の胴部に回して装着したときに人体の腹筋に相当する箇所に腹筋の形状を模した凸部が形成され、前記布地の一方の端部に面ファスナーを形成し、人体に装着したときに前記面ファスナーに当接する箇所に面ファスナーの受け面が形成されていることを特徴とする体形補正具である。
【００１２】
本願考案によれば、より強い締め付け力を得るために、伸縮率の低い布地を使い、人体の腹部に強く巻き付け、使用者の胴部周長に応じた位置で面ファスナーで等が体型補正具を固定することが出来る。
【００１３】
本願考案は、前記腹筋の形状を模した凸部は、人体の筋肉と同程度の硬度であり、通気性を有することを特徴とする、請求項１から３のいずれか１項記載の体形補正具である。
【００１４】
本願考案によれば、人体の筋肉と同程度の硬度であるから、仮に第三者が当該腹筋を触ることがあっても、本物の筋肉であると認識して、補正具を装着しているとは認識されない。さらに人体に長時間装着することとなっても通気性があるので汗がたまることを防止できる。
【００１５】
本願考案は、前記腹筋の形状を模した凸部は、空気を封入した袋であり、外部から空気を出し入れすることで大きさ及び硬さを調節する事が可能であることを特徴とする、請求項１から３のいずれか１項記載の体形補正具である。
【００１６】
本願考案によれば、前記凸部内の空気の量を調節することで、前記凸部の突出量及び硬度を調整することが可能となるので、個人の希望に応じてより腹筋を目立たせて硬くする事も可能であるし、又は腹筋の目立つ量を小さくして柔らかくすることも可能となる。
【００１７】
本願考案は、前記腹筋の形状を模した凸部は、布地から取り外し可能であることを特徴とする、請求項１から５のいずれか１項記載の体形補正具である。
【００１８】
本願考案によれば、前記腹筋の形状を模した凸部を取り外すことで、前記布地のみで一般の腹巻きや腹部を締め付けるものとして使用することも可能であるし、また布地は皮膚に直接装着することが多いので、布地のみを洗濯して清潔に保つことが可能となる。
【図面の簡単な説明】
【００１９】
【図１】本考案の体型補正具を使用していない状態の人体図であり、（ａ）は正面図、（ｂ）は背面図である。
【図２】本考案の体型補正具を使用した状態の人体図であり、（ａ）は正面図、（ｂ）は背面図である。
【図３】本考案の別の実施例の体型補正具を使用した状態の人体図であり、（ａ）は正面図、（ｂ）は背面図である。
【図４】本考案の体型補正具であり、（ａ）は正面図、（ｂ）は側面図、（ｃ）は上面図である。
【図５】本考案の別の実施例の体型補正具であり、（ａ）は正面図、（ｂ）は側面図、（ｃ）は上面図、（ｄ）は背面図である。
【図６】本考案の別の実施例の体型補正具であり、（ａ）は正面図、（ｂ）及び（ｃ）は側面図である。
【考案を実施するための形態】
【００２０】
以下に図面を参照しながら本考案を実施するための形態を示す。
【実施例】
【００２１】
（実施例１）
図１は、本考案の体型補正具を使用していない状態の人体図である。腹部がたるんでおり、美観が劣る。
【００２２】
図４は、本考案の体型補正具である。（ａ）は正面図であり、１０は布地で形成された筒状体である。前記筒状体１０は伸縮性を持った布地であり、人体に装着することでたるんだ腹部を締め付ける効果を有する。布地を円筒形に形成する方法としては、帯状の布地の端を縫い合わせたり、最初から円筒になるように編み込んだりする方法がある。伸縮性は胸部から腰部にかけて同程度の強さであっても、胸部は肋骨により縮む量が制限されるし、腰部は腰骨によって縮む量が制限されるから、そのような骨が無い腹部が最も細くなる。また、図４（ａ）のようにあらかじめ腹部が最も細くなるような太鼓形に形成しても良い。図４では、形状を明確にするために筒状体１０の厚みを誇張して記載してあるが、実際には人体に装着した場合に衣服の上から当該筒状体を装着していることがわからないように、出来るだけ薄く製作することが望ましい。
【００２３】
前記筒状体１０を人体に装着したときに、人体の腹筋に該当する場所であり、前記筒状体の外側表面に、当該腹筋の形状を模した凸部２０を形成する。当該凸部は、ポリウレタンやシリコンなどを材料とした発泡体であることが好ましい。当該凸部２０は、前記筒状体１０の表面に接着や縫い付けなどによって固定される。
【００２４】
図２は図１に示した人体に、本願発明の体型補正具を装着した状態を示す。筒状体１０が縮む力によってたるんだ腹部が締め付けられ、腹部がほっそりとして美観に優れる状態になる。さらに人体の腹筋に該当する箇所に前記凸部２０があることによって、あたかもそこに鍛えられた腹筋が存在するように見えることによって美観が向上する。この状態の上に人体にフィットした衣服を着ると、その衣服の上からほっそりした腹部と腹筋に模した凸部２０が盛り上がって見えることになるので、脂肪が少なく腹筋が発達した状態に見せることが出来る。
【００２５】
また、前記凸部２０は、スポンジ状で筋肉と同程度の硬さを持っており、仮に第三者が衣服の上から当該凸部を触ることがあったとしても、腹筋であると認識することが出来る。
【００２６】
（実施例２）
図３（ｂ）は、実施例１とは腹部を締め付ける方法が異なる。本実施例の場合は、帯状体３０を腹部に巻き付けて締め付ける。この場合実施例１の筒状体１０とは異なり、あまり伸縮しない布地で構成されても装着することが可能となり、より個人の体形に合わせて装着することが可能となるし、より強い締め付け力を発揮することが可能となる。
【００２７】
帯状体３０の締め付け方法は、図３（ｂ）にあるように、帯状体のそれぞれの端を背面で交差させて、外側になる方の端の裏側に面ファスナーを接着又は縫い付け等により固定させ、内側になる方の端の表側に、前記面ファスナーの受けとなる面を接着若しくは縫い付け等により固定し、又は面ファスナーを付けることが可能な表面にしておき、人体に装着するときは締め込んでからその面ファスナーで固定することになる。
【００２８】
前記帯状体３０の、人体に装着したときに腹部に該当する面には当該箇所に該当する場所にそれぞれ腹筋の形状に模した凸部２０が形成される。当該凸部２０は、実施例１と同様の材質、硬度で構成され、実施例１と同様に前記帯状体３０の表面に固定されている。
【００２９】
（実施例３）
図５は、腹筋の形状を模した凸部２０が取り外し可能な構造である場合の、取り外し可能部材を記した図であり、（ａ）は正面図、（ｂ）は側面図、（ｃ）は上面図、（ｄ）は背面図である。
【００３０】
腹部の腹筋の形状を模した凸部２０を、柔軟性を有する基部６０表面の、人体に装着したときに腹筋に該当する位置に配する。当該凸部２０は、実施例１及び２と同様な材質、硬度、固定方法であるため省略する。
【００３１】
前記凸部２０を有する基部６０の裏面には、図５（ｄ）で示すように面ファスナーを配するが、基部６０の裏面全面に面ファスナーを配しても良い。人体にはあらかじめ実施例１の筒状体１０（凸部２０が配されていないもの）若しくは帯状体３０（凸部２０が配されていないもの）を装着しておき、それらの腹部側の表面には面ファスナーの受け面が固定されているか若しくは面ファスナーを付けることができる表面としておき、人体の腹筋にあたる位置に凸部２０が配置されるように、基部６０を貼り付ける（図３（ａ）参照）。
【００３２】
本実施例によれば、前記筒状体１０又は帯状体３０から、凸部２０を着脱自在な構成であるため、本願考案の効果のうち締め付け効果のみを利用しようとする場合は前記凸部２０を取り外せば良いし、また当該部材による腹部保温効果のみを利用することも可能となる。さらには、前記筒状体１０及び帯状体３０は、衣服の下に装着することが多いため、人体に直接触れる構成であるため洗濯の必要があるが、本実施例によれば凸部２０を外して通常の洗濯に供することが可能となり利便性が増す。
【００３３】
また、本実施例であって、帯状体３０に装着する場合において、実施例２では面ファスナーで締め付ける箇所は背中になるのだが、締め付けた後に凸部２０を装着する本実施例では、締め付ける箇所を腹部（前面）にすることで、一人で簡単に確実に締め付けることが可能となり、当該締め付け部の上に基部６０を装着することも可能となる。
【００３４】
上記実施例１〜３に共通する事柄であるが、前記筒状体１０、帯状体３０、基部６０及び凸部２０は、通気性を有する。すでに述べたように衣服の下に装着する場合は、人体が発生する汗の対策が必要である。特に夏場など長時間直接皮膚に装着するものには通気性が欠かせない。布地のみならず凸部２０も独立気泡ではなく連続気泡のスポンジであれば、通気性を有し皮膚に汗が溜まらなくなる。
【００３５】
（実施例４）
図６は、凸部２０が空気を封入した袋である場合の実施例である。空気の出し入れは空気吸排口８０より行い、当該空気吸排口８０内部には弁があり空気の流出を防止するとともに、空気を入れる場合はその弁を押し込むことなどにより行う。各凸部２０は空気連結部９０によって連結されており、各部の空気圧が同一に保たれる。図６（ｂ）は、凸部２０の内部の空気量が多い状態であり、図６（ｃ）は、凸部２０の内部の空気が少ない状態である。
【００３６】
本実施例によれば、各人の特性や好みに応じて凸部２０内の空気量を調節することが可能となり、より硬く大きな凸部がほしい場合は内部に入れる空気の量を多くすれば良いし、より柔らかく小さな凸部がほしい場合は内部の空気量を減らせば良い。
【００３７】
また、実施例１〜４に共通するが、人体の各部大きさは個体差があることから、前記筒状体１０、帯状体３０、基部６０及び凸部２０は、複数のサイズを揃えておき、各個人の大きさに適したものを装着することが好ましいし、また、実施例１〜３の場合は凸部２０の突出量も複数のサイズを揃えておき、各個人の特性や好みに応じたものを装着することが好ましい。
【符号の説明】
【００３８】
１０      筒状体、
２０      凸部、
３０      帯状体、
４０      面ファスナー、
５０      面ファスナー受け面、
６０      基部、
７０      面ファスナー、
８０      空気吸排口、
９０      空気連結部
【図１】
0003202147.tif 000003
【図２】
0003202147.tif 000004
【図３】
0003202147.tif 000005
【図４】
0003202147.tif 000006
【図５】
0003202147.tif 000007
【図６】
0003202147.tif 000008